【手続補正書】
【提出日】平成22年1月12日(2010.1.12)
【手続補正１】
【補正対象書類名】特許請求の範囲
【補正対象項目名】全文
【補正方法】変更
【補正の内容】
【特許請求の範囲】
【請求項１】
エラストマー性架橋ポリエステルであって、該エラストマー性架橋ポリエステルは、
該ポリエステルのＡ成分の少なくとも一部の間で架橋された一般式（−Ａ−Ｂ−）ｎのポリマー単位を含み、
該架橋の少なくとも一部は、ジオイック酸エステルを形成し、
Ａが置換又は非置換エステルを表わし、
Ｂが、少なくとも２個の酸エステル官能基を含む、置換又は非置換酸エステルを表わし、
ｎが１より大きい整数を表わす、エラストマー性架橋ポリエステル。
【請求項２】
一般式（Ｉ）
【化１】
2009523864.tif 000001
（式中、ｍ、ｎ、ｐ、ｑ及びｖは、それぞれ独立して１より大きい整数を表わす）により表わされる、請求項１記載のポリエステル。
【請求項３】
ジオイック酸エステルを形成する前記架橋の少なくとも一部が、１個以上の、置換又は非置換アルキルエステル官能基、又は置換又は非置換炭酸アルキルエステル官能基を含む、請求項１記載のポリエステル。
【請求項４】
前記架橋ポリエステルが、該ポリエステルのＡ成分の少なくとも一部を介して置換又は非置換アルカンと架橋した一般式（−Ａ−Ｂ−）ｎのポリマー単位を含む、請求項１記載のポリエステル。
【請求項５】
エラストマー性架橋ポリエステルであって、該架橋エラストマー性ポリエステルは、
該ポリエステルのＡ成分の少なくとも一部の間で架橋された一般式（−Ａ−Ｂ−）ｎのポリマー単位を含み、該架橋は、一般式−（Ｄ）ｋ−Ｃ−の少なくとも一部を含む連結を形成し、
Ａが置換又は非置換エステルを表わし、
Ｂが、少なくとも２個の酸エステル官能基を含む、置換又は非置換酸エステルを表わし
、
Ｃが置換又は非置換ジオイック酸エステルを表わし、
Ｄが１個以上の置換又は非置換エステルを表わし、
ｎが１より大きい整数を表わし、
ｋが０より大きい整数を表わす、エラストマー性架橋ポリエステル。
【請求項６】
一般式（ＩＩ）
【化２】
2009523864.tif 000002
（式中、ｍ、ｎ、ｐ、ｑ及びｖは、それぞれ独立して１より大きい整数を表わし、ｋは０より大きい整数を表わす）により表わされる、請求項５記載のポリエステル。
【請求項７】
ｐ＝８、ｑ＝８、及びｖ＝４である、請求項２又は６記載のポリエステル。
【請求項８】
（−Ａ−Ｂ−）ｎのポリマー単位の数に対する架橋の数の平均比が、約０．４未満である、請求項１又は５記載のポリエステル。
【請求項９】
（−Ａ−Ｂ−）ｎのポリマー単位の数に対する架橋の数の平均比が、約０．５より大きい、請求項１又は５記載のポリエステル。
【請求項１０】
請求項１〜４のいずれか一項記載のポリエステルであって、前記架橋ポリエステルがＡＳＴＭ標準Ｄ４１２−９８ａに従って測定した場合に、約１．５ＭＰａ未満の引張ヤング率を有するか；該架橋ポリエステルが共にＡＳＴＭ標準Ｄ４１２−９８ａに従って測定した場合に、約０．０５ＭＰａより大きい引張ヤング率、及び約４５％より大きい伸長を有するか；該架橋ポリエステルがＡＳＴＭ標準Ｄ４１２−９８ａに従って測定した場合に、約０．４ＭＰａから約０．５５ＭＰａの範囲のヤング率を有するか；又は該架橋ポリエステルが約１７０％を超える最大伸長を有する、ポリエステル。
【請求項１１】
請求項５〜９のいずれか一項記載のポリエステルであって、前記架橋ポリエステルがＡＳＴＭ標準Ｄ４１２−９８ａに従って測定した場合に、約１７ＭＰａ未満の引張ヤング率を有するか；該架橋ポリエステルが共にＡＳＴＭ標準Ｄ４１２−９８ａに従って測定した場合に、約０．６ＭＰａより大きい引張ヤング率、及び約２０％より大きい伸長を有するか；該架橋ポリエステルがＡＳＴＭ標準Ｄ４１２−９８ａに従って測定した場合に、約０．２５ＭＰａより大きい引張ヤング率、及び水中において約１％より大きい膨潤を有するか；該架橋ポリエステルがＡＳＴＭ標準Ｄ４１２−９８ａに従って測定した場合に、約０．２５ＭＰａより大きい引張ヤング率、及び水中において約４０％より大きい膨潤を有するか；該架橋ポリエステルがＡＳＴＭ標準Ｄ４１２−９８ａに従って測定した場合に、約０．４ＭＰａから約０．５５ＭＰａの範囲のヤング率を有するか；又は該架橋ポリエステルが約６０％を超える最大伸長を有する、ポリエステル。
【請求項１２】
請求項１〜１１のうちのいずれか一項記載のポリエステルを含む、生分解性組成物。
【請求項１３】
生物活性剤を更に含む、請求項１２記載の組成物。
【請求項１４】
増殖因子、細胞接着配列、ポリヌクレオチド、多糖類、ポリペプチド、細胞外マトリクス成分、及びそれらの組み合わせの１種以上を更に含む、請求項１２記載の組成物。
【請求項１５】
結合組織細胞、器官の細胞、筋細胞、神経細胞、腱細胞（ｔｅｎｏｃｙｔｅ）、線維芽細胞、靭帯細胞、内皮細胞、肺細胞、上皮細胞、平滑筋細胞、心筋細胞、骨格筋細胞、島細胞、神経細胞、肝細胞、腎細胞、嚢細胞（ｂｌａｄｄｅｒ  ｃｅｌｌ）、尿路上皮細胞、軟骨細胞、及び造骨細胞、及びそれらの組み合わせからなる群から選択される細胞とともに播種される、請求項１２記載の組成物。
【請求項１６】
架橋ポリエステルに共有結合している発色団を更に含む、請求項１２記載の組成物。
【請求項１７】
受容体が前記発色団に共有結合しているか、又は該発色団と架橋ポリエステルとの間に挿入されている、請求項１６記載の組成物。
【請求項１８】
材料が多孔性であるか、ポロジェン（ｐｏｒｏｇｅｎ）を更に含む、請求項１２〜１７のいずれか一項記載の組成物。
【請求項１９】
材料が粒子、管、球、ストランド、コイル状のストランド、毛管ネットワーク、フィルム、繊維、メッシュ又はシートの形態である、請求項１２〜１８のいずれか一項記載の組成物。
【請求項２０】
前記組成物は生分解性である、請求項１２〜１９のいずれか一項記載の組成物。
【請求項２１】
請求項１〜１１のいずれか一項記載の架橋ポリエステルを形成するための方法であって、プレポリマーの混合物を架橋させてエラストマー性架橋ポリエステルを形成する工程を包含する、方法。
【請求項２２】
前記プレポリマーは、２個以上の一般式−ＯＲ（各基のＲは、独立して水素又はアルキルである）の官能基を含む第一の成分を、２個以上の酸エステル官能基を含む第二の成分と反応させて、プレポリマーの混合物を形成する工程により形成される、請求項２１記載の方法。
【請求項２３】
前記プレポリマーをアクリレートと反応させて、アクリル化プレポリマーの混合物を形成し；そして該アクリル化プレポリマーを照射して、該アクリル化プレポリマーの少なくとも一部を架橋し架橋ポリエステルを形成する、請求項２１又は２２記載の方法。
【請求項２４】
前記アクリレートが、
【化３】
2009523864.tif 000003
（式中、Ｒ１はメチル又は水素を表わし；
Ｒ２、Ｒ２’、及びＲ２’’は、それぞれ独立して、アルキル、アリール、複素環、シクロアルキル、芳香族複素環、多環アルキル、ヒドロキシル、エステル、エーテル、ハライド、カルボン酸、アミノ、アルキルアミノ、ジアルキルアミノ、トリアルキルアミノ、アミド、カルバモイルチオエーテル、チオール、アルコキシ、又はウレイド基、ならびにそれらの分岐及び置換バージョンを表わす）の１種以上を含む、請求項２３記載の方法。
【請求項２５】
照射中、前記プレポリマー混合物は約２５℃未満の温度に加熱される、請求項２３記載の方法。
【請求項２６】
アクリル化デキストラン、アクリル化ヒアルロン酸、アクリル化キトサン、及びアクリル化ポリ（エチレングリコール）からなる群から選択される１種以上の材料の存在下において、前記プレポリマーを架橋する工程を更に含む、請求項２１又は２２記載の方法。
【請求項２７】
前記プレポリマーにジイソプロピルアゾジカルボキシレート及びトリフェニルホスフィンを加えることによって反応混合物を形成し、該プレポリマーの少なくとも一部を架橋させて生分解性エラストマー性材料を形成する工程であって、該反応混合物を約２５℃を超えて加熱しない、工程、を包含する、請求項２１又は２２記載の方法。
【請求項２８】
前記反応混合物を形成する工程が、一酸を加えて、前記生分解性エラストマー性材料中にエステル連結側鎖を提供することを含む、請求項２７記載の方法。
【請求項２９】
前記反応混合物を形成する工程が、モノアルコールを加えて、前記生分解性エラストマー性材料中にエーテル連結側鎖を提供することを含む、請求項２７記載の方法。
【請求項３０】
前記第二の成分が、置換又は非置換ジオイック酸エステルである、請求項２２記載の方法。
【請求項３１】
前記プレポリマーの第二の成分がアミノエステル官能基を含み、前記生分解性エラストマー性材料がポリ−β−アミノエステルポリマーを含む、請求項２２記載の方法。
【請求項３２】
熱開始剤を用いた熱開始重合、酸化還元対開始重合又はその両方によって前記プレポリマーの少なくとも一部を架橋させる工程であって、架橋反応を約２５℃未満の温度で実施する工程、を包含する、請求項２２記載の方法。
【請求項３３】
二官能性スルフヒドリル化合物を用いたミカエル型付加反応を用いて前記プレポリマーの少なくとも一部を架橋する工程であって、架橋反応を約２５℃未満の温度で実施する工程、を包含する、請求項２２記載の方法。